(57)【要約】【課題】関連する第１の出力対象情報と第２の出力対象情報とを関連付けて出力する場合において、本構成を有しない場合と比較して、利用者が第１の出力対象情報の部分情報に関連している第２の出力対象情報の部分情報を簡便に把握できるようにするプログラム及び情報処理装置を提供する。【解決手段】情報取得部３０が、記憶部に記憶された、出力の対象である複数の出力対象情報と、互いに関連する出力対象情報を関連付ける関連情報と、を取得する。部分情報特定部３４が、第１の出力対象情報の少なくとも一部である第１の部分情報と関連情報とに基づいて、第１の出力対象情報に関連付けられている第２の出力対象情報の少なくとも一部である第２の部分情報を特定する。情報出力部３２が、第１の部分情報と第２の部分情報とを対応付けて出力する。【選択図】図３
2010198265.tif 000002
【特許請求の範囲】
【請求項１】
記憶手段に記憶された、出力の対象である複数の出力対象情報と、互いに関連する前記出力対象情報を関連付ける関連情報と、を取得する取得手段、
第１の出力対象情報の少なくとも一部である第１の部分情報と前記関連情報とに基づいて、第１の出力対象情報に関連付けられている第２の出力対象情報の少なくとも一部である第２の部分情報を特定する部分情報特定手段、
前記第１の部分情報と前記第２の部分情報とを対応付けて出力する出力手段、
としてコンピュータを機能させることを特徴とするプログラム。
【請求項２】
前記部分情報特定手段が、前記第２の部分情報と前記関連情報とに基づいて、前記第２の出力対象情報に関連付けられている第３の出力対象情報の少なくとも一部である第３の部分情報をさらに特定して、
前記出力手段が、予め定められた条件を充足する場合に、前記第２の部分情報の出力を抑制して、前記第１の部分情報と前記第３の部分情報とを対応付けて出力する、
ことを特徴とする請求項１に記載のプログラム。
【請求項３】
前記予め定められた条件は、前記第２の部分情報と前記第３の部分情報との関係を示した条件である、
ことを特徴とする請求項２に記載のプログラム。
【請求項４】
前記複数の出力対象情報のうちの少なくとも１つが、利用者を示す利用者情報と関連付けられており、
前記予め定められた条件は、情報の出力を要求する利用者と前記利用者情報が示す利用者との関係を示した条件である、
ことを特徴とする請求項２に記載のプログラム。
【請求項５】
前記出力手段が、前記予め定められた条件を充足しない場合に、前記第２の部分情報と前記第３の部分情報とを対応付けて出力する、
ことを特徴とする請求項２から４のいずれか一項に記載のプログラム。
【請求項６】
前記出力手段が、前記各部分情報を、当該部分情報が含まれる前記出力対象情報に対応した表示態様で出力する、
ことを特徴とする請求項１から５のいずれか一項に記載のプログラム。
【請求項７】
前記第１の出力対象情報が、文書情報と、当該文書情報に付随する付随情報と、を含み、
前記部分情報特定手段が、前記付随情報に基づいて、前記第２の部分情報を特定して、
前記出力手段が、前記文書情報と当該文書情報に付随する付随情報とを対応付けて出力し、当該付随情報と前記第２の部分情報を対応付けて出力する、
ことを特徴とする請求項１から６のいずれか一項に記載のプログラム。
【請求項８】
２つの出力対象情報間の関係が予め定められた条件を充足する場合に、当該２つの出力対象情報を関連付ける前記関連情報を生成する関連情報生成手段、として前記コンピュータをさらに機能させる、
ことを特徴とする請求項１から７のいずれか一項に記載のプログラム。
【請求項９】
前記関連情報生成手段が、２つの出力対象情報に基づいて算出される当該２つの出力対象情報の間の関連の程度を示す関連度が予め定められた条件を充足する場合に、当該２つの出力対象情報を関連付ける前記関連情報を生成する、
ことを特徴とする請求項８に記載のプログラム。
【請求項１０】
記憶手段に記憶された、出力の対象である複数の出力対象情報と、互いに関連する前記出力対象情報を関連付ける関連情報と、を取得する取得手段と、
第１の出力対象情報の少なくとも一部である第１の部分情報と前記関連情報とに基づいて、第１の出力対象情報に関連付けられている第２の出力対象情報の少なくとも一部である第２の部分情報を特定する部分情報特定手段と、
前記第１の部分情報と前記第２の部分情報とを対応付けて出力する出力手段と、
を含むことを特徴とする情報処理装置。
【発明の詳細な説明】
【技術分野】
【０００１】
本発明は、プログラム及び情報処理装置に関する。
【背景技術】
【０００２】
利用者から受け付ける情報を順次蓄積して、蓄積された情報を利用者に提示する情報処理装置（例えば、電子掲示板）が存在する。特許文献１には、第２の電子掲示板において検索などを行い、第１の電子掲示板における投稿記事のリストを表示させたり、投稿記事を表示させたりする技術が開示されている。
【先行技術文献】
【特許文献】
【０００３】
【特許文献１】特開２００５−００４７９４号公報
【発明の概要】
【発明が解決しようとする課題】
【０００４】
本発明は、関連する第１の出力対象情報と第２の出力対象情報とを関連付けて出力する場合において、本構成を有しない場合と比較して、利用者が第１の出力対象情報の部分情報に関連している第２の出力対象情報の部分情報を簡便に把握できるようにするプログラム及び情報処理装置を提供することを目的とする。
【課題を解決するための手段】
【０００５】
請求項１に記載の発明は、プログラムであって、記憶手段に記憶された、出力の対象である複数の出力対象情報と、互いに関連する前記出力対象情報を関連付ける関連情報と、を取得する取得手段、第１の出力対象情報の少なくとも一部である第１の部分情報と前記関連情報とに基づいて、第１の出力対象情報に関連付けられている第２の出力対象情報の少なくとも一部である第２の部分情報を特定する部分情報特定手段、前記第１の部分情報と前記第２の部分情報とを対応付けて出力する出力手段、としてコンピュータを機能させることとしたものである。
【０００６】
請求項２に記載の発明は、請求項１に記載のプログラムであって、前記部分情報特定手段が、前記第２の部分情報と前記関連情報とに基づいて、前記第２の出力対象情報に関連付けられている第３の出力対象情報の少なくとも一部である第３の部分情報をさらに特定して、前記出力手段が、予め定められた条件を充足する場合に、前記第２の部分情報の出力を抑制して、前記第１の部分情報と前記第３の部分情報とを対応付けて出力することとしたものである。
【０００７】
請求項３に記載の発明は、請求項２に記載のプログラムであって、前記予め定められた条件は、前記第２の部分情報と前記第３の部分情報との関係を示した条件であることとしたものである。
【０００８】
請求項４に記載の発明は、請求項２に記載のプログラムであって、前記複数の出力対象情報のうちの少なくとも１つが、利用者を示す利用者情報と関連付けられており、前記予め定められた条件は、情報の出力を要求する利用者と前記利用者情報が示す利用者との関係を示した条件であることとしたものである。
【０００９】
請求項５に記載の発明は、請求項２から４のいずれか一項に記載のプログラムであって、前記出力手段が、前記予め定められた条件を充足しない場合に、前記第２の部分情報と前記第３の部分情報とを対応付けて出力することとしたものである。
【００１０】
請求項６に記載の発明は、請求項１から５のいずれか一項に記載のプログラムであって、前記出力手段が、前記各部分情報を、当該部分情報が含まれる前記出力対象情報に対応した表示態様で出力することとしたものである。
【００１１】
請求項７に記載の発明は、請求項１から６のいずれか一項に記載のプログラムであって、前記第１の出力対象情報が、文書情報と、当該文書情報に付随する付随情報と、を含み、前記部分情報特定手段が、前記付随情報に基づいて、前記第２の部分情報を特定して、前記出力手段が、前記文書情報と当該文書情報に付随する付随情報とを対応付けて出力し、当該付随情報と前記第２の部分情報を対応付けて出力することとしたものである。
【００１２】
請求項８に記載の発明は、請求項１から７のいずれか一項に記載のプログラムであって、２つの出力対象情報間の関係が予め定められた条件を充足する場合に、当該２つの出力対象情報を関連付ける前記関連情報を生成する関連情報生成手段、として前記コンピュータをさらに機能させることとしたものである。
【００１３】
請求項９に記載の発明は、請求項８に記載のプログラムであって、前記関連情報生成手段が、２つの出力対象情報に基づいて算出される当該２つの出力対象情報の間の関連の程度を示す関連度が予め定められた条件を充足する場合に、当該２つの出力対象情報を関連付ける前記関連情報を生成することとしたものである。
【００１４】
請求項１０に記載の発明は、情報処理装置であって、記憶手段に記憶された、出力の対象である複数の出力対象情報と、互いに関連する前記出力対象情報を関連付ける関連情報と、を取得する取得手段と、第１の出力対象情報の少なくとも一部である第１の部分情報と前記関連情報とに基づいて、第１の出力対象情報に関連付けられている第２の出力対象情報の少なくとも一部である第２の部分情報を特定する部分情報特定手段と、前記第１の部分情報と前記第２の部分情報とを対応付けて出力する出力手段と、を含むこととしたものである。
【発明の効果】
【００１５】
請求項１，１０に記載の発明によれば、関連する第１の出力対象情報と第２の出力対象情報とを関連付けて出力する場合において、本構成を有しない場合と比較して、利用者が第１の出力対象情報の部分情報に関連している第２の出力対象情報の部分情報を簡便に把握できる。
【００１６】
請求項２に記載の発明によれば、予め定められた条件を充足した場合には、第２の部分情報を出力させないように制御することができる。
【００１７】
請求項３に記載の発明によれば、第２の部分情報と第３の部分情報との関係に関する条件を充足した場合には、第２の部分情報を出力させないように制御することができる。
【００１８】
請求項４に記載の発明によれば、情報の出力を要求する利用者と前記利用者情報が示す利用者との関係を充足した場合には、第２の部分情報を出力させないように制御することができる。
【００１９】
請求項５に記載の発明によれば、予め定められた条件を充足したか否かに応じて、第２の部分情報を出力させるか否かを制御することができる。
【００２０】
請求項６に記載の発明によれば、本構成を有しない場合と比較して、部分情報がどの出力対象情報に対応しているかを利用者によりわかりやすく提示することができる。
【００２１】
請求項７に記載の発明によれば、本構成を有しない場合と比較して、文書情報を利用者に提示する際に、その文書情報に付随する付随情報とともに、その付随情報に関連する情報も、わかりやすく利用者に提示することができる。
【００２２】
請求項８に記載の発明によれば、出力対象情報間の関係に応じて、利用者に関連付けて提示される情報を制御することができる。
【００２３】
請求項９に記載の発明によれば、２つの出力対象情報間の関連の程度に応じて、利用者に関連付けて提示される情報を制御することができる。
【図面の簡単な説明】
【００２４】
【図１】本発明の一実施形態に係る情報処理システムのネットワーク構成の一例を示す図である。
【図２】本発明の一実施形態に係る情報処理装置のハードウェア構成の一例を示す図である。
【図３】本発明の一実施形態に係る情報処理装置により実現される機能の一例を示す機能ブロック図である。
【図４】利用者情報のデータ構造の一例を示す図である。
【図５】タスク情報のデータ構造の一例を示す図である。
【図６】メッセージ情報のデータ構造の一例を示す図である。
【図７】ファイル情報のデータ構造の一例を示す図である。
【図８】タスク選択画面の一例を示す図である。
【図９】メッセージ一覧画面の一例を示す図である。
【図１０】メッセージ画面の一例を示す図である。
【図１１】本実施形態に係る情報処理装置で行われるメッセージ画面の表示出力処理の流れの一例を示すフロー図である。
【図１２】メッセージアクセスログのデータ構造の一例を示す図である。
【図１３】ファイルアクセスログのデータ構造の一例を示す図である。
【図１４】レビュー情報のデータ構造の一例を示す図である。
【図１５】関連度情報のデータ構造の一例を示す図である。
【図１６】メッセージ一覧画面の別の一例を示す図である。
【図１７】ファイル表示画面の一例を示す図である。
【発明を実施するための形態】
【００２５】
以下、本発明の一実施形態について図面に基づき詳細に説明する。
【００２６】
図１のネットワーク構成図に例示するように、本実施形態に係る情報処理システム１０は、情報処理装置１２と、利用者端末（クライアント）１４（１４−１〜１４−ｎ）と、を含んで構成される。情報処理装置１２、利用者端末１４は、ＬＡＮ等のネットワーク１６に接続されており、互いに通信されるようになっている。図１に例示する利用者端末１４は、例えば、ＣＰＵ等の制御装置、ハードディスク等の記憶装置、ディスプレイ等の出力装置、キーボード、マウス等の入力装置、ネットワークボード等の通信装置を備えた公知のパーソナルコンピュータにより構成されている。
【００２７】
図２は、本実施形態に係る情報処理装置１２のハードウェア構成の一例を示す図である。図２に例示するように、本実施形態における情報処理装置１２は、制御部２０と、記憶部２２と、通信部２４と、を含んで構成されている。これらの要素は、バスなどを介して接続される。制御部２０は、ＣＰＵ等のプログラム制御デバイスであり、情報処理装置１２にインストールされるプログラムに従って動作する。記憶部２２は、ＲＯＭやＲＡＭ等の記憶素子やハードディスクなどである。記憶部２２には、制御部２０によって実行されるプログラムなどが記憶される。また、記憶部２２は、制御部２０のワークメモリとしても動作する。通信部２４は、例えば、ネットワークボードなどの通信インタフェースであり、ネットワーク１６を介して接続される利用者端末１４との間で情報の送受信を行う。
【００２８】
図３は、本実施形態に係る情報処理装置１２により実現される機能の一例を示す機能ブロック図である。図３に例示するように、情報処理装置１２は、情報取得部３０、情報出力部３２、部分情報特定部３４、タスク制御部３６、関連情報生成部３８、を含むものとして機能する。これらの要素は制御部２０を主として実現される。
【００２９】
これらの要素は、コンピュータである情報処理装置１２にインストールされたプログラムを、情報処理装置１２の制御部２０で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信ネットワークを介して情報処理装置１２に供給される。
【００３０】
本実施形態では、記憶部２２に、図４に例示する、利用者の識別子である利用者ＩＤ４０と、利用者の名称である利用者名情報４２と、を含む利用者情報４４が複数記憶されている。
【００３１】
また、本実施形態では、記憶部２２に、図５に例示する、電子掲示板において表示出力される情報の管理単位であるタスクの識別子であるタスクＩＤ４６、タスクの名称であるタスク名情報４８、タスクのリーダーである利用者の利用者ＩＤ４０に対応するリーダー利用者ＩＤ５０、タスクのメンバーである利用者の利用者ＩＤ４０に対応するメンバー利用者ＩＤ５２、タスクのオブザーバーである利用者の利用者ＩＤ４０に対応するオブザーバー利用者ＩＤ５４、タスク間の関連を示す関連情報５６（上位のタスクの識別子である上位タスクＩＤ５６ａ、及び、下位のタスクの識別子である下位タスクＩＤ５６ｂ）、を含む、タスク情報５８が複数記憶されている。本実施形態では、関連情報５６は、例えば、タスクの上下関係を示している。
【００３２】
また、本実施形態では、記憶部２２に、図６に例示するメッセージ情報６０を複数記憶する。メッセージ情報６０は、例えば、メッセージの識別子であるメッセージＩＤ６２、メッセージが関連付けられるタスクの識別子であるタスクＩＤ４６、メッセージの実体を示すメッセージ実体情報６４（メッセージの題名を示す題名情報６４ａとメッセージの本文を示す本文情報６４ｂとを含む）、メッセージの作成者の利用者ＩＤ４０、メッセージの更新日時を示す更新日時情報６６、このメッセージに関連付けられるメッセージ情報６０（具体的には、例えば、親のメッセージ情報６０）のメッセージＩＤ６２である親メッセージＩＤ６８、レビューＩＤ７０、を含む。レビューＩＤ７０の詳細については後述する。１つのメッセージ情報６０は、例えば、電子掲示板における１つの投稿記事やメッセージなど（より具体的には、例えば、質問を示すメッセージや、その質問に対する回答を示すメッセージなど）に対応する。
【００３３】
また、本実施形態では、記憶部２２に、図７に例示する、ファイルの識別子であるファイルＩＤ７２、ファイルが関連付けられるタスクの識別子であるタスクＩＤ４６、ファイルの実体（コンテンツ）を示すファイル実体情報７４、ファイルの作成者の利用者ＩＤ４０、ファイルの更新日時を示す更新日時情報６６、このファイルに関連付けられるメッセージのメッセージＩＤ６２である親メッセージＩＤ６８、このファイルが成果物であるか否かを示す成果物フラグ７６（ファイルが成果物である場合は「１」が設定され、ファイルが成果物でない場合は「０」が設定される）、レビューＩＤ７０、を含むファイル情報７８が複数記憶されている。
【００３４】
情報取得部３０は、本実施形態では、上述のメッセージ情報６０、ファイル情報７８、及び、タスク情報５８、を取得する。
【００３５】
そして、情報出力部３２が、情報取得部３０が取得する情報に基づいて、図８に例示するタスク選択画面８０を生成して、利用者端末１４が備えるディスプレイなどの出力装置に表示出力する。タスク選択画面８０には、各タスクに対応するタスク代表画像８２が含まれている。また、タスク選択画面８０には、タスク情報５８に含まれる関連情報５６に基づいて特定されるタスク間の親子関係も示されている。
【００３６】
ここで、利用者が、利用者端末１４が備えるマウスなどによりタスク代表画像８２をクリックすると、情報出力部３２が、選択されたタスク代表画像８２に対応する信号を受け付けて、そのタスク代表画像８２に対応するタスクに関連付けられているメッセージの一覧を示す、図９に例示するメッセージ一覧画面８４を利用者端末１４が備えるディスプレイなどの出力装置に表示出力する。メッセージ一覧画面８４は、例えば、電子掲示板のスレッド一覧画面などに相当する。メッセージ一覧画面８４には、例えば、選択されたタスク代表画像８２に対応するタスクに関連付けられている各メッセージ情報６０に含まれる題名情報６４ａが一覧で示されている。また、ファイル情報７８がメッセージ情報６０に関連付けられている場合には、情報出力部３２は、そのメッセージ情報６０に含まれる題名情報６４ａの右側に、ファイル情報７８を代表するファイル代表画像８６を表示出力する。
【００３７】
そして、利用者が、利用者端末１４が備えるマウスなどによりいずれかの題名情報６４ａをクリックすると、情報出力部３２が、図１０に例示するメッセージ画面８８を利用者端末１４が備えるディスプレイなどの出力装置に表示出力する。メッセージ画面８８は、例えば、電子掲示板における投稿記事の詳細表示画面などに相当する。ここで、メッセージ画面８８の表示出力処理の流れの一例を、図１１に例示するフロー図を参照しながら説明する。
【００３８】
まず、部分情報特定部３４が、題名情報６４ａがクリックされたことを示す信号を利用者端末１４から受け付ける（Ｓ１０１）。そして、部分情報特定部３４が、利用者によりクリックされた題名情報６４ａに対応するメッセージ情報６０（以下、第１のメッセージ情報６０−１と呼ぶ。）に含まれるメッセージ実体情報６４を第１の出力対象情報として特定する（Ｓ１０２）。そして、部分情報特定部３４が、第１のメッセージ情報６０−１に関連付けられているタスク情報５８（第１のタスク情報５８−１）を特定する（Ｓ１０３）。
【００３９】
そして、部分情報特定部３４が、第１のタスク情報５８−１に含まれる関連情報５６に基づいて、第１のタスク情報５８−１に関連付けられている少なくとも１つのタスク情報５８（第２のタスク情報５８−２）を特定する（Ｓ１０４）。部分情報特定部３４は、例えば、第１のタスク情報５８−１の下位のタスクとして示されているタスク情報５８を第２のタスク情報５８−２として特定してもよい。そして、部分情報特定部３４が、第２のタスク情報５８−２に関連付けられる少なくとも１つのメッセージ情報６０（第２のメッセージ情報６０）を特定する（Ｓ１０５）。このように、第１のメッセージ情報６０−１と第２のメッセージ情報６０−２とは関連情報５６によって関連付けられている。
【００４０】
そして、部分情報特定部３４は、第２のメッセージ情報６０−２に含まれるメッセージ実体情報６４を第２の出力対象情報として特定する（Ｓ１０６）。そして、部分情報特定部３４は、第１の出力対象情報の少なくとも一部である第１の部分情報９０−１（例えば、本文情報６４ｂ）に基づいて、第２の出力対象情報の少なくとも一部である第２の部分情報９０−２（例えば、題名情報６４ａや本文情報６４ｂなど）を特定する（Ｓ１０７）。
【００４１】
部分情報特定部３４は、例えば、メッセージ情報６０に含まれるメッセージ実体情報６４の類似度（例えば、公知の文字列照合技術により算出される類似度など）、メッセージ情報６０の作成日や登録日、メッセージ情報６０の作成者などに基づいて、第１の部分情報９０−１に対応する第２の部分情報９０−２を特定してもよい。部分情報特定部３４は、より具体的には、例えば、上位のタスクでの依頼メッセージまたは質問メッセージである第１の部分情報９０−１が、引用文として含まれる本文情報６４ｂなどを第２の部分情報９０−２として特定してもよい。また、部分情報特定部３４は、上位のタスクでの依頼メッセージ又は質問メッセージの登録日よりも後、かつ、その依頼メッセージ又は質問メッセージへの返信メッセージの登録日よりも前、に登録されたメッセージ情報６０の少なくとも一部を第２の部分情報９０−２として特定してもよい。また、部分情報特定部３４は、上位のタスクの依頼メッセージ又は質問メッセージへの返信メッセージに対応するメッセージ情報６０の作成者が、タスク情報５８に関連付けられているメッセージ情報６０のうちの最初のメッセージ情報６０の作成者である場合に、そのタスク情報５８に関連付けられているすべてのメッセージ情報６０それぞれに含まれるメッセージ実体情報６４を第２の部分情報９０−２として特定してもよい。
【００４２】
そして、情報出力部３２が、第１の部分情報９０−１と、第２の部分情報９０−２とを対応付けた、図１０に例示するメッセージ画面８８を生成して、利用者端末１４が備えるディスプレイなどの出力装置に表示出力する（Ｓ１０８）。
【００４３】
図１０に例示するように、メッセージ画面８８には、第１の部分情報９０−１と第２の部分情報９０−２とが階層的に示されていてもよい。また、第１の部分情報９０−１が表示される位置と第２の部分情報９０−２が表示される位置との相対的な関係や、第２の部分情報９０−２の表示態様などが予め定められていてもよい。
【００４４】
また、情報出力部３２が、各部分情報９０を、その部分情報９０が含まれるメッセージ情報６０や、そのメッセージ情報６０に関連付けられているタスク情報５８に対応する表示態様（例えば、色）で表示出力してもよい。
【００４５】
なお、部分情報特定部３４が、上述と同様の処理により、第２の部分情報９０−２（例えば、第２のメッセージ情報６０−２に含まれるメッセージ実体情報６４）に基づいて、第３の部分情報９０−３（例えば、関連情報５６により第２のメッセージ情報６０に関連付けられる第３のメッセージ情報６０−３に含まれる本文情報６４ｂなど）を特定してもよい。そして、図１０に例示するメッセージ画面８８に示されているように、情報出力部３２が、第２の部分情報９０−２と第３の部分情報９０−３とを対応付けて出力してもよい。また、情報出力部３２は、予め定められた条件を充足する場合（例えば、第２の部分情報９０−２と第３の部分情報９０−３との関係が予め定められた条件を充足する場合）に、上述の第２の部分情報９０−２の出力を抑制して、第１の部分情報９０−１と第３の部分情報９０−３とを対応付けて利用者端末１４が備えるディスプレイなどの出力装置に表示出力してもよい。なお、情報出力部３２は、予め定められた条件を充足しない場合に、第２の部分情報９０−２の出力を抑制して、第１の部分情報９０−１と第３の部分情報９０−３とを対応付けて表示出力するようにしてももちろん構わない。
【００４６】
情報出力部３２は、具体的には、例えば、第２の部分情報９０−２に含まれる文字の数よりも、第３の部分情報９０−３に含まれる文字の数が多い場合や、第２の部分情報９０−２に示されている質問と回答と、第３の部分情報９０−３に示されている質問と回答とが共通している（例えば、類似度が予め定められた値以上）場合などには、第２の部分情報９０−２の表示出力を抑制して、第１の部分情報９０−１と第３の部分情報９０−３とを対応付けて表示出力してもよい。
【００４７】
また、例えば、メッセージ画面８８の表示出力を要求する利用者と、部分情報９０に関連付けられるタスクとの関係（例えば、利用者のタスクにおける役割（リーダー、メンバー、オブザーバーなど））に基づいて、情報出力部３２が、その部分情報９０の出力を抑制するか否かを決定してもよい。より具体的には、例えば、情報出力部３２が、第２の部分情報９０−２に関連付けられているタスク情報５８に基づいて、メッセージ画面８８の表示出力を要求する利用者がそのタスクのオブザーバーであると判断する場合には、第２の部分情報９０−２の出力を抑制して、第１の部分情報９０−１と第３の部分情報９０−３とを対応付けて出力するようにしてもよい。
【００４８】
本実施形態では、タスク制御部３６が、例えば、利用者から受け付ける情報に基づいて、ファイル情報７８を生成する。この処理をファイルの登録と呼ぶこととする。また、タスク制御部３６は、例えば、利用者からの要求に応じて、ファイル情報７８に含まれるタスクＩＤ４６の値を設定して、タスク情報５８とファイル情報７８とを関連付ける。
【００４９】
また、本実施形態では、利用者からの要求（例えば、閲覧要求）に応じて、情報出力部３２が、メッセージ実体情報６４を含む画面や、ファイル実体情報７４を含む画面などを出力する際に、タスク制御部３６が、例えば、図１２に例示する、メッセージ実体情報６４の出力状況を示すメッセージアクセスログ９２や、図１３に例示する、ファイル実体情報７４の出力状況を示すファイルアクセスログ９４などを生成して、記憶部２２に出力する。
【００５０】
また、本実施形態では、タスク制御部３６は、例えば、利用者からの要求に応じて、メッセージ情報６０やファイル情報７８のレビュー状況を示すレビュー情報９６の生成処理や更新処理などを実行する（図１４参照）。図１４に、レビュー情報９６のデータ構造の一例を示す。図１４に例示するように、レビュー情報９６は、例えば、レビューの識別子であるレビューＩＤ７０、レビューの対象となるタスクＩＤ４６、レビュー文書のファイルＩＤ７２、レビューを開始した利用者の利用者ＩＤ４０を示す開始利用者ＩＤ９８、レビュー状況の更新日時を示す更新日時情報６６、レビュー担当者である利用者の利用者ＩＤ４０を示すレビュー担当者情報１００、レビューの期限を示すレビュー期限情報１０２、レビュー状態（例えば、「レビュー前」、「レビュー中」、「レビュー完了」など）を示すレビュー状態情報１０４、を含む。タスク制御部３６は、利用者により設定されたレビュー期限情報１０２が示す期限を経過したレビュー情報９６については、レビュー状態情報１０４の値を「レビュー完了」に更新するようにしてもよい。
【００５１】
また、本実施形態では、タスク制御部３６は、利用者からの要求に応じて、ファイル情報７８に含まれる成果物フラグ７６の値を更新する。また、本実施形態では、タスク制御部３６は、利用者からの要求に応じて、タスク情報５８に、成果物となるファイル情報７８が予約されたことを示す情報を関連付ける処理（以下、成果物予約処理と呼ぶ。）を実行する。
【００５２】
関連情報生成部３８は、２つの出力対象情報間の関係（例えば、２つの出力対象情報に基づいて算出される、これら２つの出力対象情報の間の関連の程度を示す関連度１０６（図１５参照））が予め定められた条件を充足する場合に、これら２つの出力対象情報を関連付ける情報（本実施形態では、例えば、出力対象情報に関連付けられたタスク情報５８同士を関連付ける関連情報５６）を生成する。図１５に、タスク情報５８同士の関連の程度を示す関連度１０６を含む関連度情報１０８のデータ構造の一例を示す。関連度情報１０８は、図１５に例示するように、例えば、第１のタスク情報５８−１のタスクＩＤ４６（第１タスクＩＤ４６−１）と、第２のタスク情報５８のタスクＩＤ４６（第２タスクＩＤ４６−２）と、第１のタスク情報５８−１と第２のタスク情報５８−２との関連の程度を示す関連度１０６と、タスク上位度１１０（第１のタスク情報５８−１が第２のタスク情報５８−２よりも上位である程度を示す第１タスク上位度１１０−１、及び、第２のタスク情報５８−２が第１のタスク情報５８−１よりも上位である程度を示す第２タスク上位度１１０−２）と、を含む。
【００５３】
関連情報生成部３８は、例えば、関連度１０６が予め定められた値より大きい場合に、第１のタスク情報５８−１と第２のタスク情報５８−２とを関連付ける関連情報５６を生成する。また、関連情報生成部３８は、例えば、第１タスク上位度１１０−１の値が第２タスク上位度１１０−２の値より大きい（あるいは、小さい）場合に、第１のタスク情報５８が第２のタスク情報５８の上位（あるいは、下位）のタスクとなることを示す関連情報５６を生成してもよい。
【００５４】
関連情報生成部３８は、例えば、タスク情報５８とファイル情報７８との関連付けに基づいて、タスク情報５８を関連付ける関連情報５６を生成する。関連情報生成部３８は、より具体的には、例えば、第１のタスク情報５８−１と第１のファイル情報７８−１とが関連付けられた際に、ファイル情報７８同士の比較結果（例えば、ファイル実体情報７４の類似度の評価結果や、ファイルＩＤ７２の対応関係の評価結果）などに基づいて、第１のファイル情報７８−１に対応する第２のファイル情報７８−２を特定する。そして、関連情報生成部３８は、第２のファイル情報７８−２に関連付けられている第２のタスク情報５８−２を特定して、第１のタスク情報５８−１と第２のタスク情報５８−２とを関連付ける関連度情報１０８に含まれる関連度１０６の値、及び、第２タスク上位度１１０の値を１だけ増加させる。なお、関連情報生成部３８は、例えば、第１のファイル情報７８−１の登録者がメンバーとして関連付けられているタスク情報５８を第２のタスク情報５８−２として特定してもよい。また、関連情報生成部３８は、例えば、第２のファイル情報７８−２が、第１のファイル情報７８−１の登録者により既に閲覧されている場合に、第１のタスク情報５８−１と第２のタスク情報５８−２とを関連付ける関連度情報１０８に含まれる関連度１０６の値を１だけ増加してもよい。また、関連情報生成部３８は、第２のファイル情報７８−２が複数特定される際に、更新日時情報６６に基づいて特定される、最後に登録されたファイル情報７８に対応するタスク情報５８を第２のタスク情報５８−２として特定してもよい。また、関連情報生成部３８は、第２のファイル情報７８−２が複数特定された際には、特定された（１／特定されたファイル情報７８の数）だけ関連度１０６を増加するようにしてもよい。
【００５５】
また、関連情報生成部３８は、ファイルのレビュー状況に基づいて、関連度情報１０８を更新してもよい。関連情報生成部３８は、具体的には、例えば、第１のファイル情報７８−１に対するレビューが開始された際（例えば、レビュー情報９６が生成された際）に、ファイル実体情報７４同士の比較結果（例えば、類似度の評価結果）に基づいて、第１のファイル情報７８−１に対応する第２のファイル情報７８−２を特定して、第１のファイル情報７８−１に関連付けられている第１のタスク情報５８−１と、第２のファイル情報７８−２に関連付けられている第２のタスク情報５８−２とを関連付ける関連度情報１０８に含まれる関連度１０６の値、及び、第２タスク上位度１１０の値を１だけ増加してもよい。なお、関連情報生成部３８は、レビューの要求者（開始者）が第２のタスク情報５８−２に対応するタスクのメンバーである場合に、上述の処理を実行するようにしてもよい。また、関連情報生成部３８は、レビューの開始者が、レビューの開始前に、第２のファイル情報７８を閲覧している場合に、上述の処理を実行するようにしてもよい。
【００５６】
また、関連情報生成部３８は、第１のタスク情報５８−１に関連付けられるレビューが完了したファイル情報７８が第２のタスク情報５８−２に関連付けられた際に、第１のタスク情報５８−１と、第２のタスク情報５８−２とを関連付ける関連度情報１０８に含まれる関連度１０６の値、及び、第２タスク上位度１１０の値を１だけ増加してもよい。また、関連情報生成部３８は、第１のタスク情報５８−１に対応するタスクのメンバーによって、ファイル情報７８の登録処理が実行された際に、上述の処理を実行するようにしてもよい。
【００５７】
また、関連情報生成部３８は、ファイル情報７８に含まれる成果物フラグ７６の値が「１」に更新された際に、そのファイル情報７８に関連付けられるタスクが最上位タスクとなるよう、関連度情報１０８に含まれる第１タスク上位度１１０の値や第２タスク上位度１１０の値を更新（例えば、値を「９９９９」に設定するなど）してもよい。また、関連情報生成部３８は、タスクに対して成果物予約処理が実行された際に、そのタスクが最上位タスクとなるよう、関連度情報１０８に含まれる第１タスク上位度１１０の値や第２タスク上位度１１０の値を更新してもよい。
【００５８】
また、関連情報生成部３８は、第１のタスク情報５８−１に関連付けられているメッセージ実体情報６４（例えば、議事録や検討会メモ）に類似するメッセージ実体情報６４に関連付けられている第２のタスク情報５８−２を特定して、第１のタスク情報５８−１と第２のタスク情報５８−２とを関連付ける関連情報５６を生成してもよい。なお、関連情報生成部３８は、上述の際に、第１のタスク情報５８と、第２のタスク情報５８と、を関連付ける関連度情報１０８に含まれる関連度１０６の値、及び、第２タスク上位度１１０の値を１だけ増加させるようにしてもよい。また、関連情報生成部３８は、上述の際に、第２のタスク情報５８に対応するタスクのメンバーが第１のタスク情報５８−１に関連付けられているメッセージ実体情報６４の登録者である場合に、関連情報５６を生成するようにしてもよい。また、関連情報生成部３８は、上述の際に、第１のタスク情報５８−１に関連付けられているメッセージ実体情報６４が、このメッセージ実体情報６４に類似するメッセージ実体情報６４を既に閲覧している場合に、関連情報５６を生成してもよい。
【００５９】
なお、本発明は上記実施形態に限定されるものではない。
【００６０】
例えば、図８に例示するタスク選択画面８０において、利用者が、利用者端末１４が備えるマウスなどによりタスク代表画像８２をクリックした際に、情報出力部３２が、図１６に例示する、そのタスクに関連付けられている各メッセージのメッセージ実体情報６４、及び、部分情報特定部３４により特定される部分情報９０（第２の部分情報９０−２や第３の部分情報９０−３）が含まれた、メッセージ一覧画面８４を、利用者端末１４が備えるディスプレイなどの出力装置に表示出力してもよい。
【００６１】
また、例えば、図９に例示するメッセージ一覧画面８４において、利用者が、利用者端末１４が備えるマウスなどによりファイル代表画像８６をクリックした際に、情報出力部３２が、図１７に例示する、ファイル代表画像８６に対応するファイル表示画面１１２を利用者端末１４が備えるディスプレイなどの出力装置に表示出力してもよい。このとき、ファイル実体情報７４が、文書情報１１４と、付随情報１１６（例えば、付箋の情報）とを含んでいる場合に、部分情報特定部３４が、この付随情報１１６に基づいて、第２の部分情報９０−２を特定するようにしてもよい。そして、情報出力部３２が、付随情報１１６に第２の部分情報９０−２を対応付けて利用者端末１４が備えるディスプレイなどの出力装置に表示出力してもよい。もちろん、図１７に例示するように、情報出力部３２が、第２の部分情報９０−２に第３の部分情報９０−３を対応付けて表示出力してもよい。
【符号の説明】
【００６２】
１０  情報処理システム、１２  情報処理装置、１４  利用者端末（クライアント）、１６  ネットワーク、２０  制御部、２２  記憶部、２４  通信部、３０  情報取得部、３２  情報出力部、３４  部分情報特定部、３６  タスク制御部、３８  関連情報生成部、４０  利用者ＩＤ、４２  利用者名情報、４４  利用者情報、４６  タスクＩＤ、４８  タスク名情報、５０  リーダー利用者ＩＤ、５２  メンバー利用者ＩＤ、５４  オブザーバー利用者ＩＤ、５６  関連情報、５６ａ  上位タスクＩＤ、５６ｂ  下位タスクＩＤ、５８  タスク情報、６０  メッセージ情報、６２  メッセージＩＤ、６４  メッセージ実体情報、６４ａ  題名情報、６４ｂ  本文情報、６６  更新日時情報、６８  親メッセージＩＤ、７０  レビューＩＤ、７２  ファイルＩＤ、７４  ファイル実体情報、７６  成果物フラグ、７８  ファイル情報、８０  タスク選択画面、８２  タスク代表画像、８４  メッセージ一覧画面、８６  ファイル代表画像、８８  メッセージ画面、９０  部分情報、９２  メッセージアクセスログ、９４  ファイルアクセスログ、９６  レビュー情報、９８  開始利用者ＩＤ、１００  レビュー担当者情報、１０２  レビュー期限情報、１０４  レビュー状態情報、１０６  関連度、１０８  関連度情報、１１０  タスク上位度、１１２  ファイル表示画面、１１４  文書情報、１１６  付随情報。
【図１】
2010198265.tif 000003
【図２】
2010198265.tif 000004
【図３】
2010198265.tif 000005
【図４】
2010198265.tif 000006
【図５】
2010198265.tif 000007
【図６】
2010198265.tif 000008
【図７】
2010198265.tif 000009
【図８】
2010198265.tif 000010
【図９】
2010198265.tif 000011
【図１０】
2010198265.tif 000012
【図１１】
2010198265.tif 000013
【図１２】
2010198265.tif 000014
【図１３】
2010198265.tif 000015
【図１４】
2010198265.tif 000016
【図１５】
2010198265.tif 000017
【図１６】
2010198265.tif 000018
【図１７】
2010198265.tif 000019